(57)【要約】      （修正有）【課題】正規のビスよりも長いビスの進入を防止できる、安全性に配慮した電気機器の筐体を提供することである。【解決手段】電気機器の金属部分を有する筐体３０において、筐体３０の外側から挿入されるビスの進入側先端に対向する位置に、金属部分から突出した壁部３３を設ける。壁部３３は、正規のビスが挿入された場合には当たらず、正規のビスよりも長いビスが挿入された場合に当たる位置に設ける。それによりビスを締めているユーザは、当たっている感触を感じ、ビス締めを止める。【選択図】図２
2014045061.tif 000002
【特許請求の範囲】
【請求項１】
電気機器の金属部分を有する筐体において、
前記筐体の外側から挿入されるビスの進入側先端に対向する位置に、前記金属部分から突出した壁部を設けたことを特徴とする筐体。
【請求項２】
前記壁部は、正規のビスが挿入された場合には当たらず、正規のビスよりも長いビスが挿入された場合に当たる位置に設けることを特徴とする請求項１記載の筐体。
【請求項３】
前記壁部が、前記ビスの進入側先端に対向する凹部を有することを特徴とする請求項１又は２記載の筐体。
【請求項４】
前記凹部は絞り加工によって形成されることを特徴とする請求項３記載の筐体。
【請求項５】
前記金属部分から突出した突出部を有し、
前記壁部の先端が前記突出部に係止されることを特徴とする請求項１〜４の何れかに記載の筐体。
【請求項６】
前記突出部が貫通孔を有し、
前記壁部が断面Ｌ字型で、先端に凸部を有し、
前記凸部が前記貫通孔に係止されることを特徴とする請求項５記載の筐体。
【請求項７】
前記突出部が前記金属部分を切り起こして形成されることを特徴とする請求項５又は６記載の筐体。
【請求項８】
前記壁部が前記金属部分を切り起こして形成されることを特徴とする請求項１〜７の何れかに記載の筐体。
【請求項９】
請求項１〜８の何れかに記載の筐体を搭載した再生装置。
【発明の詳細な説明】
【技術分野】
【０００１】
本発明は、再生装置をはじめとする電気機器の筐体におけるビス進入に対する防止構造に関する。
【背景技術】
【０００２】
一般的に、電気機器の筐体を組み立てる際にはビスを用いることが多く、ＤＶＤやＢＤ（Blu-ray Disc）等の光ディスクを再生する光ディスクプレーヤーなどの記録媒体再生装置においても同じである。ここで、作業性の観点からビスは筐体の外側から止められることが多いが、安全性の観点から電源等の電気部品にビスが近づかないように設計される。
【０００３】
例えば、特許文献１には、パネルに貫通するネジの先端を囲むように金具を設け、ネジが螺合するネジ穴から外れたときに、先端を金具が囲みセット内部の電気部品に先端が接触することを防止することが開示されている。
【先行技術文献】
【特許文献】
【０００４】
【特許文献１】特開２０１０−２８３１４２号公報
【発明の概要】
【発明が解決しようとする課題】
【０００５】
しかしながら、ユーザーが電気機器の筐体のビスを外し、再度組み付ける際に誤って正規のビスよりも長いビスを用いた場合、特許文献１等の従来の構成ではビスが必要以上に機器内に進入することになる。このとき、ビスがその進行方向に配設されている電気部品に当たってしまうおそれがあり、機器の破損や感電のおそれがある。
【０００６】
本発明は、正規のビスよりも長いビスの進入を防止できる、安全性に配慮した電気機器の筐体を提供することを目的とする。
【課題を解決するための手段】
【０００７】
上記目的を達成するために本発明は、電気機器の金属部分を有する筐体において、前記筐体の外側から挿入されるビスの進入側先端に対向する位置に、前記金属部分から突出した壁部を設けたことを特徴とする。
【０００８】
この構成によると、長いビスが挿入された場合にビスの先端が壁部に当たり、それ以上機器内へ進入することを防止できる。
【０００９】
上記の筐体において、具体的に、前記壁部は、正規のビスが挿入された場合には当たらず、正規のビスよりも長いビスが挿入された場合に当たる位置に設けるものとする。
【００１０】
この構成によると、正規のビスよりも長いビスを締めているユーザーはビスが壁部に当たっている感触を感じ、ビス締めを止める。
【００１１】
また上記の筐体において、前記壁部が、前記ビスの進入側先端に対向する凹部を有することが望ましい。
【００１２】
この構成によると、ビスを締めているユーザーがビスが凹部に当たっている状態においてもなおビスを締め続けた場合でも、ビスの先端は凹部で受けられているので、万一、壁部が変形したとしてもビスが脇に逸れて進入することを防止できる。
【００１３】
また上記の筐体において、例えば、前記凹部は絞り加工によって形成される。これにより、容易に凹部を設けることができる。
【００１４】
また上記の筐体において、前記金属部分から突出した突出部を有し、前記壁部の先端が前記突出部に係止されることが望ましい。具体的には、例えば、前記突出部が貫通孔を有し、前記壁部が断面Ｌ字型で、先端に凸部を有し、前記凸部が前記貫通孔に係止される構成とすることができる。これにより、壁部が変形しにくくなる。
【００１５】
また上記の筐体において、コスト削減の観点から、前記突出部が前記金属部分を切り起こして形成されることが望ましい。
【００１６】
また上記の筐体において、コスト削減の観点から、前記壁部が前記金属部分を切り起こして形成されることが望ましい。
【００１７】
また本発明の再生装置は、上記の何れかに記載の筐体を搭載したものとする。このように、上記の筐体は再生装置をはじめ各種電気機器に搭載することができる。
【発明の効果】
【００１８】
本発明によると、ビスに対向する壁部を設けることで、誤って正規のビスよりも長いビスを用いた場合にビスが必要以上に機器内に進入することを防止できる。その結果、機器の破損や感電のおそれを回避できる。したがって、安全性に配慮した電気機器の筐体を提供できる。
【図面の簡単な説明】
【００１９】
【図１】本発明の一実施形態であるＨＤＤ一体型光ディスク装置の構成及びその周辺機器を示すブロック図である。
【図２】本発明の一実施形態における筐体の一部分を拡大した斜視図である。
【図３】図２に正規より長いビスを挿入した状態の断面図である。
【図４】本発明の一実施形態における筐体に正規より長いビスを挿入した状態の断面図である。
【発明を実施するための形態】
【００２０】
以下に本発明の実施形態を図面を参照して説明する。なお、各実施形態は可能な範囲で組み合わせて実施することもできる。
【００２１】
図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の録画再生装置に代表される外部装置１２とが接続されている。本ＨＤＤ一体型光ディスク装置１０はＢＤ（Blu-ray Disc）及びＤＶＤの録画／再生に対応している。またＨＤＤ一体型光ディスク装置１０は、リモコン１３によって操作可能である。
【００２２】
ＨＤＤ一体型光ディスク装置１０は、チューナ１６と、映像／音声圧縮伸長部１７と、ＨＤＤ記録再生部１８と、ＢＤ／ＤＶＤ記録再生部１９と、ＯＳＤ（On Screen Display）部２０と、映像出力部２１と、音声出力部２２と、メモリ２３と、リモコン受信部２４と、外部Ｉ／Ｆ２５と、制御部２６とを備えている。
【００２３】
チューナ１６は、アンテナ１５で受信したデジタルテレビ放送信号を復調、デジタル化する。映像／音声圧縮伸長部１７は、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする。
【００２４】
ＨＤＤ記録再生部１８は、映像／音声圧縮伸長部１７から受け取った圧縮された映像／音声データをＨＤＤに記録したり、ＨＤＤに記録されたデータを再生したりする。ＢＤ／ＤＶＤ記録再生部１９は、映像／音声圧縮伸長部１７から受け取った圧縮された映像／音声データを挿入されたＤＶＤ又はＢＤに記録したり、ＤＶＤ又はＢＤに記録されたデータを再生したりする。
【００２５】
ＯＳＤ部２０は、各種設定値を表示装置１１の一部に表示しながら設定できるようにする。映像出力部２１は、ＯＳＤ部２０からの映像信号をアナログ化し、表示装置１１へ出力する。音声出力部２２は、映像／音声圧縮伸長部１７からの音声信号をアナログ化し、表示装置へ出力する。
【００２６】
メモリ２３は、ＲＯＭやＲＡＭからなり、各種プログラムや各種データ等を記憶する。リモコン受信部２４は、赤外線受光部等からなり、リモコン１３からの信号を受信する。外部Ｉ／Ｆ２５は、外部装置１２が接続される外部入力端子等からなる。制御部２６は、マイクロプロセッサ等からなり、ＨＤＤ一体型光ディスク装置１０の各部を制御する。
【００２７】
上記のＨＤＤ一体型光ディスク装置１０の各部材は筐体に収容される。そして筐体は外装カバーで覆われ、外装カバーと適宜ビス留めされる。
【００２８】
図２は筐体の一部分を拡大した斜視図、図３は図２に正規より長いビスを挿入した状態の断面図である。筐体３０は、ＨＤＤ一体型光ディスク装置１０の各種部材を搭載するボトムシャーシとしての役割もあり、ＳＥＣＣ（電気亜鉛めっき鋼板）などの板金部材を曲げ加工、絞り加工、パンチ加工等によって成形したものである。なお、筐体３０は全てが板金部材等の金属製でなくても、一部に金属部分を有すれば、他の部分は樹脂等の他の材料であってもよい。
【００２９】
筐体３０には、図２に示すような、外装カバーと固定するための取り付け部３１が複数形成されている。この取り付け部３１は、筐体３０の金属部分をパンチ加工したり、切り起こして形成されている。取り付け部３１は、筐体３０を貫通するビス穴３２と、ビス穴３２近傍からビス穴３２に対向するように折り曲げられた壁部３３と、壁部３３を係止する突出部３４とを有する。
【００３０】
ビス穴３２は、ビス締めのための溝が切られた貫通孔である。このビス穴３２に合わせて外装カバーのビス穴が重ねられて外側からビス締めされる。図２ではビス穴３２は、パンチ加工で下穴を抜いて、その後に板厚に応じたクリアランスを取り立ち上がり加工する、いわゆるバーリング加工によって形成されている。
【００３１】
壁部３３は、筐体３０の金属部分から突出し、筐体の外側から挿入されるビスの進入側先端に対向する位置に設けられた壁面である。この壁部３３により、正規のビスよりも長いビスがビス穴３２に挿入された場合にビスの進入が防止（規制）される。
【００３２】
図２に示す壁部３３は、筐体３０の金属部分から内側へ略直角に突出した第１壁部３３ａと、第１壁部３３ａからビス穴３２側へ略直角に突出した第２壁部３３ｂと、第２壁部３３ｂに形成された凹部３３ｃと、第２壁部３３ｂの先端に形成された凸部３３ｄとを有している。壁部３３は、筐体３０の金属部分を切り起こして形成してもよいし、筐体の金属部分に壁部３３となる別部材を溶接等によって取り付けてもよい。
【００３３】
例えば、図２では壁部３３は筐体３０の金属部分が切り起こされて形成されている。その形成手順は、例えば、まず帯状の３辺（先端の辺は凸部３３ｄを有する）を切り込むとともに、帯状の所定位置に絞り加工によって凹部（筐体３０の内側から見て凹形状）３３ｃを形成する。次に、切り込んでいない１辺に沿って筐体３０の内側へ略直角に折り曲げて第１屈曲部３３ｅを形成し、次に第１屈曲部３３ｅに平行な所定位置で先程と同じ方向に略直角に折り曲げて第２屈曲部３３ｆを形成する。これにより、第１屈曲部３３ｅと第２屈曲部３３ｆとの間の面が第１壁部３３ａとなり、第２屈曲部３３ｆから先端までの面が第２壁部３３ｂとなる。
【００３４】
ここで凹部３３ｃは、ビスの進入側先端に対向する位置に設けられている。さらに、凹部３３ｃは、正規のビスが挿入された場合には当たらず、正規のビスよりも長いビスが挿入された場合に当たる位置に設けられている。正規のビス長さが決まればそのビスが筐体３０の内側へ進入する長さがわかるので、その進入する長さよりも第１壁部３３ａの長さと凹部３３ｃの深さとを足し合わせた長さが長くなるように設計すればよい。
【００３５】
また、凹部３３ｃはビス穴３２と同程度の大きさであることが望ましい。これにより、正規のビスより長いビスが進入してきたときにビスの先端が凹部３３ｃに誘導されるので、脇に逸れることを防止し、確実に凹部３３ｃで受けることができる。
【００３６】
凸部３３ｄは、後述する突出部３４の貫通孔３４ｂに係止される。凸部３３ｄは上述した帯状の３辺を切り込む際に、先端を凸状に切り込むことで形成される。凸部３３ｄは突出部３４の厚みより若干長くすることで、貫通孔３４ｂで係止されたときに貫通孔から突出するので安定して係止される。
【００３７】
突出部３４は、筐体３０の金属部分から突出した壁面である。この突出部３４により、壁部３３の先端が係止される。その結果、壁部３３が変形しにくくなる。
【００３８】
図２に示す突出部３４は、筐体３０の金属部分から内側へ略直角に突出した第３壁部３４ａと、第３壁部３４ａの先端付近に形成された貫通孔３４ｂとを有している。突出部３４は、筐体３０の金属部分を切り起こして形成してもよいし、筐体の金属部分に突出部３４となる別部材を溶接等によって取り付けてもよい。
【００３９】
例えば、図２では突出部３４は筐体３０の金属部分が切り起こされて形成されている。その形成手順は、例えば、まず帯状の３辺を切り込むとともに、帯状の所定位置にパンチ加工によって矩形の貫通孔３４ｂを形成する。次に、切り込んでいない１辺に沿って筐体３０の内側へ略直角に折り曲げて第３屈曲部３４ｃを形成する。これにより、第３屈曲部３４ｃから先端までの面が第３壁部３４ａとなる。
【００４０】
ここで、貫通孔３４ｂは凸部３３ｄより若干大きく、かつ凸部３３ｄが嵌まる位置に形成されることで、第３屈曲部３４ｃを形成するために折り曲げたときに、自動的に貫通孔３４ｂに凸部３３ｄが挿入され、壁部３３の先端が突出部３４に係止される。
【００４１】
このような筐体３０の構成により、正規の長さのビスが取り付け部３１に取り付けられた場合は、ビスの進入側先端が壁部３３の凹部３３ｃに当たることはない。一方、正規のビスよりも長いビスが取り付け部３１に取り付けられた場合は、ビスの進入側先端が壁部３３の凹部３３ｃに当たる。
【００４２】
これにより、正規のビスよりも長いビスを締めているユーザーはビスが当たっている感触を感じ、ビス締めを止める。よって、誤って正規のビスよりも長いビスを用いた場合にビスが必要以上に機器内（例えば電源部付近）に進入することを防止できる。また、ビスを締めているユーザーがビスが凹部３３ｃに当たっている状態においてもなおビスを締め続けた場合でも、ビスの先端は凹部３３ｃで受けられているので、万一、壁部３３が変形したとしてもビスが脇に逸れて進入することを防止できる。
【００４３】
その結果、機器の破損や感電のおそれを回避できる。したがって、安全性に配慮した電気機器の筐体３０を提供できる。
【００４４】
なお、突出部３４は必須の構成ではない。突出部３４を省略した場合は凸部３３ｄも不要である。突出部３４がなくても壁部３３が十分な強度を有していれば問題はない。
【００４５】
また、凹部３３ｃは必須の構成ではない。図４に、凹部３３ｃを省略した場合の取り付け部周辺の断面図を示す。壁部４３は凹部３３ｃがない点で上記の壁部３３と異なり、その他の部分は上記の壁部３３の対応部分と同様である。つまり、壁部４３は、筐体３０の金属部分から内側へ略直角に突出した第１壁部４３ａと、第１壁部４３ａからビス穴３２側へ略直角に突出した第２壁部４３ｂと、第２壁部４３ｂの先端に形成された凸部４３ｄとを有している。これにより、壁部４３は断面がＬ字型となる。
【００４６】
取り付け部４１の他の構成は上記の取り付け部３１と同様であるので同符号を付し、その詳細な説明を省略する。
【００４７】
このような筐体４０の構成により、正規の長さのビスが取り付け部４１に取り付けられた場合は、ビスの進入側先端が壁部４３の第２壁部４３ｂに当たることはない。一方、正規のビスよりも長いビスが取り付け部４１に取り付けられた場合は、ビスの進入側先端が壁部４３の第２壁部４３ｂに当たる。
【００４８】
これにより、正規のビスよりも長いビスを締めているユーザーはビスが当たっている感触を感じ、ビス締めを止める。よって、誤って正規のビスよりも長いビスを用いた場合にビスが必要以上に機器内（例えば電源部付近）に進入することを防止できる。
【００４９】
その結果、機器の破損や感電のおそれを回避できる。したがって、安全性に配慮した電気機器の筐体４０を提供できる。
【００５０】
なお、ビス穴３２の中心が第２壁部４３ｂの中心から外れるようにしてもよい。これにより、ビスを締めているユーザーがビスが第２壁部４３ｂに当たっている状態においてもなおビスを締め続けた場合でも、第２壁部４３ｂが設計された方向（ビス穴３２の中心が第２壁部４３ｂの中心からずれている方向）に変形する。この設計方向を安全な方向、つまり電気部品（例えば電源部）のない方向としておくことで、ビスを電気部品のない安全な方向へ誘導できる。
【００５１】
なお、この形態においても突出部３４は必須の構成ではない。突出部３４を省略した場合は凸部４３ｄも不要である。突出部３４がなくても壁部４３が十分な強度を有していれば問題はない。
【００５２】
上記の実施形態ではＨＤＤ一体型光ディスク装置を例に説明したが、それに限定されることはなく、上記の筐体の構造は各種電気機器に利用でき、例えば、光ディスク装置等の再生装置や録画再生装置、ハードディスク装置等の録画再生装置、テレビ受像機、セットトップボックス、これら複数の装置を１つの筐体に組み込んだ複合機にも利用することができる。
【符号の説明】
【００５３】
３０、４０  筐体
３３、４３  壁部
３３ｃ  凹部
３３ｄ、４３ｄ  凸部
３４  突出部
３４ｂ  貫通孔
【図１】
2014045061.tif 000003
【図２】
2014045061.tif 000004
【図３】
2014045061.tif 000005
【図４】
2014045061.tif 000006